Podtech/llm-jp-corpus-v4-ja_patent huggingface dataset:
(57)【要約】      （修正有）【課題】お腹をおさえてお尻を引き締め、股が開いているためガードルを上げ下げしないので、下着も汚さずトイレに行って用が足せる、又着物の着崩れもしないので非常に便利な女性和装用のガードルパンツを提供する。【解決手段】ショーツとガードルを一体化させて、股の部分を前後１０センチカットして開く。【選択図】図１
0003105826.tif 000002
【実用新案登録請求の範囲】
【請求項１】
ガードルは、お腹や臀部を引き締める効果があり、女性にとっては無くてはなら無い下着ですが、着物を着用すると帯が胴に巻きつけてある為にガードルが下ろしにくく、無理に下ろすと着物が着崩れてしまい大変不便です。
そのため和装時は、どうしてもトイレを我慢してしまいがちになり、快適に過ごす事ができません。
そこで着物を着用していても快適に用が足せるようにガードルの股の部分を前後１０センチほどカットし、ショーツとガードルが一体化した新しいタイプのガードルパンツを考案いたします。
【考案の詳細な説明】
【技術分野】
【０００１】本考案は着物を着て、トイレに行った場合ショーツや  ガードルを付けていると、上げ下げするのがとても不自由な為、ショーツとガードルを一体化し、股の部分をカットして着用できる用にしたものである。
【背景技術】
【０００２】従来はショーツとガードルが一体化し股の部分が開いている和装用のガードルが無かった。
【考案の開示】
【考案が解決しようとする課題】
【０００３】女性が着物を着ると帯をしっかり結ぶため、洋服用のショーツやガードルを着用していると、トイレに行った時下着の上げ下げがとても困難でどうしても我慢してしまう。又着物も乱れて，着崩れをしてしまう。
本考案はその課題を解消するために成されたものである。
【課題を解決するための手段】
【０００４】ショーツの前後上部にガードル部分３を一体化したガードルパンツ１の、股の部分に前後１０センチほど切り込み４を入れて開き、和装用ガードルとした。
【考案の効果】
【０００５】着物を着てガードルをしていると、帯をきつく巻いている為にショーツやガードルがおろし難く、トイレが容易でなく困っていたが、ショーツとガードルが一体化した和装用ガードルをはくと、お腹をおさえてお尻を引き締め、股が開いているためガードルを上げ下げしないので、下着も汚さずトイレに行って用が足せる、又着物の着崩れもしないので非常に便利である。
【考案を実施するための最良の形態】
【０００６】図１、図２に示すように、ショーツの前後上部にガードル部分３を一体化したガードルパンツ１の股の部分に前後１０センチほど切り込み４を入れて開き、和装用ガードルとした。
【図面の簡単な説明】
【０００７】
【図１】ガードル本体の前を、カットした平面図。
【図２】ガードル本体の後ろを、カットした平面図。
【符号の説明】
【０００８】１    ガードルパンツ
２    ショーツ
３    ガードル部分
４    切り込み
【図１】
0003105826.tif 000003
【図２】
0003105826.tif 000004
【手続補正書】
【提出日】平成16年6月28日(2004.6.28)
【手続補正１】
【補正対象書類名】実用新案登録請求の範囲
【補正対象項目名】全文
【補正方法】変更
【補正の内容】
【実用新案登録請求の範囲】
【請求項１】
着物を着用していても快適に用が足せるようにガードルの股の部分を前後１０センチほどカットし、ショーツとガードルが一体化した新しいタイプのガードルパンツ。
(57)【要約】      （修正有）【課題】自動車後部ガラスに貼付して、乳児等社会弱者が同乗している事を後続運転者に認識させる、セーフティカードの提供。【解決手段】乳児等が同乗している事を表す図と「赤ちゃんが乗ってます」等の文字に使用する塗料を自発行性夜光塗料又は蓄光性夜光塗料にする事によって、雨天時、夜間時等暗くて、視界の悪い場合においても、その視認を確保する事が出来る。【選択図】図１
0003105821.tif 000002
【実用新案登録請求の範囲】
【請求項１】
従来の自動車用セーフティカード表示部の文字、図の塗料に印刷用インクに換えて夜光塗料を使用する。
【考案の詳細な説明】
【考案の詳細な説明】
【背景技術】
【０００１】  従来の自動車用セーフティカードはプラスチック、塩ビ製等の薄板上に文字、図により、乳幼児、妊婦、身体障害者等社会弱者が同乗している事を表示し、これに吸盤を介し、吸盤によって後部ガラスに貼付させ、セーフティカードに表示された文字、図によって、後続運転者に乳幼児、身体障害者等の社会弱者が同乗している事を後続運転者に認知させた上、注意喚起を促し、低速走行運転等をしていても、追突、割り込み運転等の危険運転を抑止し、交通事故防止の役割を担うものではあった。【０００２】  この社会弱者が同乗している事を表示する文字、図は、黒色、白色等の通常の印刷用インク等を使用している。
【考案が解決しようとする課題】
【０００３】  しかし、前述の従来技術では、黄、赤、青等原色地のプラスチック、塩ビ製等の薄板上に黒、白色等で表示されており、人目を引く目立つ物とはなっているが、その視認性にあっては、後続運転者にとって、明るい昼間晴天時には十分確保できるものの、昼間であっても、視界が悪くて暗い雨天時等にはその視認性は十分確保出来ているとは言えず、夜間時にあっては、車間距離を余程詰めなければ認識することが出来ず、その効果は全くないとも言えるものであった。
【課題が解決するための手段】
【０００４】  そこで、本考案は、昼間の視認性を保ったまま、夜間等視認性を確保出来ない場合であっても、その視認性を確保する為に、表示部である、文字、図に自発行性夜光塗料又は蓄光性夜光塗料を使用する事によって、どの様な時間帯、天候であっても、その視認性を確保できるものにした。
【考案の効果】
【０００５】  本考案によって、従来果たせなかった夜間等視界の悪い場合における視認性を確保する事ができ、いつ何時、どの様な天候状態であっても、自動車後部ウィンドウに貼付された、セーフティカードに表示された自発行性夜光塗料又は蓄光性夜光塗料を使用した文字、図によって、乳幼児、身体障害者等社会弱者が同乗している状態である事を後続運転者に対し、十分認識させる事ができる上、注意喚起を促す効果が得られ、低速走行運転等をしていても、後続運転者による追突、割り込み運転等危険運転を抑止し、更なる交通事故防止の役割を担う事が出来るものとなった。
【図面の簡単な説明】
【図１】  セーフティカードを示した平面図である。
【図２】  セーフティカードを示した断面図である。
【符号の説明】
１  吸盤
２  イラスト記入部（乳児、児童、妊婦等社会弱者を表す図）
３  メッセージ記入部（赤ちゃんが乗っています等）
【図１】
0003105821.tif 000003
【図２】
0003105821.tif 000004
【手続補正書】
【提出日】平成16年6月18日(2004.6.18)
【手続補正１】
【補正対象書類名】実用新案登録請求の範囲
【補正対象項目名】全文
【補正方法】変更
【補正の内容】
【実用新案登録請求の範囲】
【請求項１】
自動車用セーフティカード表示部の文字、図の塗料として使用されていた印刷用インクに換えて夜光塗料を使用した自動車用セーフティカード。
(57)【要約】      （修正有）【課題】従来のグリップは、センター部分に、線又はデザインがありましたが、グリップの正しい握り方の指標として親指の位置を示したグリップはなかった。親指の位置を決めることにより、正しい握り方が出来るようにしたゴルフのグリップである。【解決手段】グリップのセンターより右側（右利き）及び左側（左利き）の親指の位置を設定する場所に、デザインとして線、柄、印、丸型、楕円、型、親指の形、Ｖ型など入れたゴルフのグリップ。【選択図】図１
0003105827.tif 000002
【実用新案登録請求の範囲】
【請求項１】
親指の位置をセンターより右より（右利き）及び左より（左利き）にデザインとして設定したゴルフのグリッフ。
【考案の詳細な説明】
【技術分野】
【０００１】  この考案は、親指の位置をセンターより右（右利き）及び左（左利き）にデザインとして設定したゴルフのグリップに関するものである。
【背景技術】
【０００２】従来のグリップは、センターの位置を明確化していた。
【考案の開示】
【考案が解決しようとする課題】
【０００３】これはつぎのような問題点があった。
センターの位置を明確化するだけでは、正しい親指の位置がわからず、誤ったクラブの握り方をしたゴルファーが非常に多い。
ゴルフのレッスンにおいて、グリップの握り方を説明した場合グリップのセンターより、やや左に親指の位置を持ってくるようにと言うような説明をします。ところが多くのゴルファーは、曖昧のままクラブを握るため、上達が遅れてしまいます。
本考案は、以上のような欠点をなくすためになされたものである。
【課題を解決するための手段】
【０００４】  正しい握り方をしたときの親指の位置（センターよりやや右、及び左）をデザインとして設定したゴルフのグリップである。
【考案の効果】
【０００５】  親指の位置が明確化される為、正しいグリップでクラブを握ることが、早くしかも可能となる。デザインは、線、柄、印、丸型、楕円、ひし形、親指の形、Ｖ型等わかりやすければよい。
【考案を実施するための最良の状態】
【０００６】  以下、本考案の実施例について説明する。
中心の線（３）より右側の線（デザイン）（１）の位置に左手の親指をおいてくださいとした場合、親指の位置が明確化される為、正しいグリップでクラブを握る事が、早くしかも可能となる。又左利きの場合も、左側の線（デザイン）（２）に右手の親指をおくことによって、右利きと同じ効果を得られる。
本考案の（１）及び（２）のデザインは、線、柄、印、丸型、楕円、ひし型、親指の形、Ｖ型など、わかりやすければよい。
又、グリップの種類は、男性用、女性用、大きさ、素材、コード入り等限定せずあらゆるグリップに適用する。
【図面の簡単な説明】
【０００７】
【図１】  本考案の斜視図である。（線のデザイン）
【図２】  本考案の斜視図である。（楕円のデザイン）
【符号の説明】
【０００８】    １  左手親指の位置（右利き）
２  右手親指の位置（左利き）
３  中心の線の位置
【図１】
0003105827.tif 000003
【図２】
0003105827.tif 000004
【手続補正書】
【提出日】平成16年6月28日(2004.6.28)
【手続補正１】
【補正対象書類名】実用新案登録請求の範囲
【補正対象項目名】全文
【補正方法】変更
【補正の内容】
【実用新案登録請求の範囲】
【請求項１】
親指の位置をセンターより右より及び左よりにデザインとして設定したゴルフのグリップ。
(57)【要約】      （修正有）【課題】従来の洗剤は粉状または固形状、あるいは液状の成分を袋や容器に入れ各々単独で水に希釈などして使用していたため、性能や容量が制約されていた。【解決手段】粉状または固形状の洗剤成分１と、液状の洗剤成分２を各々別の袋や容器に入れておき、使用時に各成分を混合して使用することによって特徴ある洗剤を提供することができる。【選択図】図１
0003105830.tif 000002
【実用新案登録請求の範囲】
【請求項１】
粉状または固形状の洗剤成分と液状の洗剤成分を各々別の袋に入れておき、使用時に開封し各成分を混合して使用するコンパクト洗剤。
【請求項２】
粉状または固形状の洗剤成分と液状の洗剤成分を各々別の袋に入れておき、使用時に開封し各成分を水に混合して希釈し使用する洗剤。
【請求項３】
粉状または固形状の洗剤成分と液状の洗剤成分を各々別の袋に入れておき、使用時に開封し各成分を混合して使い切って使用する洗剤。
【考案の詳細な説明】
【技術分野】
【０００１】本考案は洗剤成分中、常温で固体状のものと常温で液体状のものを各々別の袋に入れておき、使用時に各々を混合して使用することで従来に無い特徴ある洗剤を提供するものである。
【背景技術】
【０００２】従来の洗剤は粉状または固形状、あるいは液状の成分を袋や容器に入れ各々単独で水に希釈などして使用していた。
【考案の開示】
【考案が解決しようとする議題】
【０００３】粉状または固形状の成分を袋や容器に入れ単独で水に希釈などして使用する洗剤や、液状の成分を袋や容器に入れ単独で水に希釈などして使用する洗剤は公知である。しかし、粉状または固形状の成分単独の洗剤では、液状の洗剤成分、例えば常温で液体の界面活性剤などをその中に充分に添加することができす、液体の界面活性剤などに由来する性能を出すことが難しかった。また、液状成分単独の洗剤では、固形状の洗剤成分、例えば固体の無機物などをその中に充分に添加するためには相応量の水分が必要となり、容量が大きくならざるを得なかった。
【課題を解決するための手段】
【０００４】常温で粉状または固形状の洗剤成分と、常温で液状の洗剤成分を各々別の袋や容器に入れておき、使用時に各成分を混合して使用することによる。
【考案の効果】
【０００５】粉状または固形状の成分単独で使用する洗剤では難しいとされていた性能を出すことが可能であり、液状の成分単独で使用する洗剤ではコンパクト化できるので収納、運搬が容易となると共に、容器のゴミを減らすことが可能である。
【考案を実施するための最良の形態】
【０００６】粉状または固形状の洗剤成分と液状の洗剤成分を入れる袋は収納、運搬などを考えると各々、内容量１０ｇ以上１ｋｇ以下が好ましく、使い勝手を考えると各々、袋に切り口などあることが好ましい。
袋の形状の特定はしないが、一般的に使用されている平袋や自立袋を使用することができる。また、個別に分かれている袋でも良いし１セット毎につながっている袋や、各成分毎に連続してつながっている袋などでも良い。さらに、袋の色は透明であっても良いし着色されていても良い。袋に入っている粉状または固形状の洗剤成分と液状の洗剤成分の内容量の比率は、１：１０から１０：１の範囲にあることが好ましい。
【実施例】
【０００７】外食産業のＡ社においては厨房の床を清掃するのに、従来は４リットルの容器に入った液体の洗剤を使用していた。Ａ社はコストや保管の面を考えて粉状の洗剤を水に希釈して使用してみたが、泡立ちが悪く充分な洗浄力を得ることができなかった。そこで当社においてＡ社が従来から使用のものと同性能の洗剤４リットル作るのに、粉状洗剤成分２００ｇと液状洗剤成分２００ｇを混合して水に希釈し４リットルとすれば良いことが分かったので、各々その単位で袋詰し、水に希釈して４リットルにする旨をＡ社に伝えて提供した。Ａ社で実際に使用してみたところ従来から使用していた洗剤と比べ洗浄力に全く遜色無く同じ様に使用することができた。また、４リットルを１セット４００ｇにコンパクト化できたことで同洗剤を２０セット１箱の単位で店舗に保管しても場所を取らず、４リットル容器のゴミも出ず、また、Ａ社のチェーン各店舗に洗剤を配送する物流コストも下がった。
【産業上の利用可能性】
【０００８】産業用の液体洗剤は１リットル〜２０リットルの単位で提供されているケースが多く、それらの全ての洗剤に対して本考案での洗剤を代用することが可能である。また、１リットル以下の単位などで提供されている家庭用の液体洗剤などに対しても本考案での洗剤を代用することが可能である。本考案における洗剤は液性を特定するものでは無く、中性であっても良いし、また、酸性やアルカリ性であっても良い。
【図面の簡単な説明】
【０００９】
【図１】「洗剤パックに平袋を用いた場合を示した立体図である。」
【図２】「洗剤パックに自立袋を用いた場合を示した立体図である。」
【符号の説明】
【００１０】１…粉状または固形状の洗剤成分
２…液状の洗剤成分
３…切り口
【図１】
0003105830.tif 000003
【図２】
0003105830.tif 000004
【手続補正書】
【提出日】平成16年6月24日(2004.6.24)
【手続補正１】
【補正対象書類名】実用新案登録請求の範囲
【補正対象項目名】全文
【補正方法】変更
【補正の内容】
【実用新案登録請求の範囲】
【請求項１】
粉状または固形状の洗剤成分を入れた第一袋と、液状の洗剤成分を入れた第二袋の組合せからなるコンパクト洗剤。
【請求項２】
前記、第一袋および第二袋の内容量が１０ｇ以上１ｋｇ以下である請求項１記載のコンパクト洗剤。
【請求項３】
前記、第一袋および第二袋の形状が平袋または自立袋のいずれかである請求項１記載のコンパクト洗剤。
(57)【要約】【課題】  管楽器の管内の拭き取り作業において高い効率を追求しながらも、布が管内で詰まることなく、抜群の使い心地を保障するお手入れ用具を提供する。【解決手段】  四角形だった従来のスワブ本体を六角形に変更することで、スワブが管楽器の管内を通るときの本体の太さを均一に分散させる。それにより、スワブの本体と管部との接触面が格段に増え、汚れや水分を拭き取りやすくなると同時に、布の太さが一点に集中することがなくなるので、布が管内で詰まりを起さない。また、布と管部との接触面が広い分、常に適度な摩擦力を維持し、使い心地がよくなる。【選択図】  図３
0003105349.tif 000002
【実用新案登録請求の範囲】
【請求項１】
管楽器をお手入れする際に、スワブという道具が従来から使われている。（「図１」）
スワブの引き出し紐（「図１」の１−２）についている重り（「図１」の１−３）を楽器の管内に貫通させ、引き出し紐を引っ張ることで、本体（布部分、「図１」１−１）が管内の汚れや水分を拭き取れる。
拭き取り作業を効率的に行うためには、本体の形状が非常に重要しされる。
従来のスワブは、布が四角形だったため、管内を通るときに厚みが一箇所に集中し、中で詰まりやすく、また管部との接触面が少なかったため汚れや水分を効果的に拭き取ることができなかった。
本考案は布の形状を六角形にすることで、布が管内を通る際に適度な摩擦力を保ちつつ、尚、管の中で詰まることなくスムーズに通過できるようにし、管内と布の接触面を最大限に大きくしてお掃除の効率を上げられるようにした。
【考案の詳細な説明】
【技術分野】
【０００１】  本考案は、スワブが管楽器の管内を適度な摩擦力を保ちながらも無理なく通り、同時に抜群のクリーニング効果を発揮させるための形状に関するものである。
【背景技術】
【０００２】  管楽器を吹くことによって楽器の管内にはつばと汚れが溜まり、それが楽器の音質や寿命に悪影響を及ぼす。また管楽器は高価な上に非常にデリケートな道具なので、日頃のまめなお手入れが重要視されている。そのときに使われるお手入れ道具の高性能化は、現場の演奏者たちにとって切実なニーズとなっている。
従来のスワブは布が管内で詰まりやすく、管部との接触面が少なかったため、効果的にお手入れができなかった。にもかかわらず、今まで布の形状を変えてスワブを改良した例はほとんどなく、従来のものが長年そのまま使われてきた。
【考案の開示】
【考案が解決しようとする課題】
【０００３】  管楽器は高価でデリケートな物なので、取扱いには細心の注意が要される。
理想的なスワブは、本体（布の部分）が管内で詰まることなく、適度な摩擦力を保ちつつ無理なく通ると同時に、布と管部の接触面が広くて拭き取り効果が高いものである。本考案はその点の改善に重点を置いている。
【課題を解決するための手段】
【０００４】  スワブの布の形状を従来の四角形から六角形に変えて、管内での布の太さを分散させる。
【考案の効果】
【０００５】  管内で布の太さが均一に分散されるので、スワブが詰まることがなくなり、管部との接触面が格段に増えるため、拭き取り効果が上がる。スワブが管を通るまで適度な摩擦力を保つので、使い心地が良い。
【考案を実施するための最良の形態】
【０００６】  スワブの布を六角形にするためには、従来の四角い布のカッティング作業を行う必要がある。（「図５」）
切り取って六角形になったときの布の幅は、切り取る前の７０％くらいに設定した方がベストである。７０％以上になると従来のものに比べてあまり効果が変わらないし、切り過ぎると布が管内の直径より細くなる恐れがある。
【実施例】
【０００７】  以下添付図面に従って実施例を説明する。
「図１」は従来のスワブの形状である。「１−３」の重りを楽器の管内に入れ、貫通させてから、「１−２」を引っ張ると「１−１」の本体が管内の水分や汚れを拭き取る。その作業を数回繰り返す。【０００８】  「図２」は「図１」のスワブが管楽器の管内を通るときの状態である。
スワブの布は管内で圧縮され、「図２」のようになる。
布の中心部が太くなり、布全体の太さが均一にならない。そのため布と管内の接触面が少なくなり、汚れや水分の拭き取り効果が悪い。
中心部だけが太くなると、詰まりを起こしやすい原因にもなる。【０００９】「図３」は本改良のスワブである。「図１」の従来のスワブの布をカッティングして六角形にしてある。【００１０】「図４」は「図３」のスワブが管内を通るときの様子である。
スワブの布は管内で「図４」のように圧縮される。
「図２」に比べて布の太さが均一に分散されているのがわかる。布と管部の接触面が広く、汚れや水分の拭き取りの効率が格段に上がる。布の力が管部に均一に伝わるため、詰まりにくくなるし、常に適度な摩擦力を維持するので、使い心地が良い。
【図面の簡単な説明】
【００１１】
【図１】  従来のスワブの形状である。
【図２】  「図１」のスワブが管楽器の管内を通るときの状態である。
【図３】  本改良のスワブの形状である。
【図４】  「図２」のスワブが管楽器の管内を通るときの状態である。
【図５】  「図１」のスワブをカッティングして「図２」の形状にする際に、最良とされるサイズを表したものである。
【００１２】１−１  従来のスワブの本体（布）
１−２  引き出し紐
１−３  重り
２−１  本改良のスワブの本体
５−１  本来のスワブ本体の幅
５−２  カッティングしたスワブ本体の幅
【図１】
0003105349.tif 000003
【図２】
0003105349.tif 000004
【図３】
0003105349.tif 000005
【図４】
0003105349.tif 000006
【図５】
0003105349.tif 000007
【手続補正書】
【提出日】平成16年6月25日(2004.6.25)
【手続補正１】
【補正対象書類名】実用新案登録請求の範囲
【補正対象項目名】請求項１
【補正方法】変更
【補正の内容】
【請求項１】
本体の布の形状を六角形にした管楽器用スワブ。
(57)【要約】【課題】従来は洗濯物干し竿、物干しひも等  汚れたら雑巾で拭くしかなかった。  その雑巾を使い捨てのものとして  便利で清潔にしようとした。【解決手段】ウエットテッシュ（２）にハンガー（１）の引っ掛かけられるところを本体に取り付けた。【選択図】図１
0003105343.tif 000002
【実用新案登録請求の範囲】
【考案の詳細な説明】
【技術分野】
【０００１】  この考案は、洗濯物干し竿用の雑巾を使い捨てにしたものである。
【背景技術】
【０００２】  従来、洗濯物干し竿は、汚れたら雑巾で拭くしかなかった。
【考案の開示】
【考案が解決しようとする課題】
【０００３】  これにはつぎのような問題点があった。洗濯物干し竿用雑巾を使い捨てにするには、ウエットテッシュが適するが、ハンガーやフック、持ち手がついておらず不便な場合が多かった。本考案は、以上のような欠点をなくすためになされたものである。
【課題を解決するための手段】
【０００４】  ウエットテッシュの本体にハンガーを取り付けた。
以上の構成よりなる  使い捨て洗濯物干し竿拭きである。
【考案の効果】
【０００５】  洗濯物干し竿に簡単に接続することができる。ハンガー部分の形は、ループ形、フック形、取っ手形など物干し竿に接続できる形であればよい。
【考案を実施するための最良の状態】
【０００６】  以下、本考案の実施例について説明する。ウエットテッシュ本体にハンガーなどの引っ掛かり部分をとりつけた。  本考案は、以上のような構造でこれを使用するときは、洗濯物干し竿に接続することができる。
なお、本考案のハンガー（１）はプラスチック、金属、厚紙、ひもなどの落下しても破損しない素材ならよい。また、除菌効果、芳香効果もよい。ウエットテッシュであるため、用途は、さまざまであってよい。トイレ、キッチン、床、窓、網戸などの使い捨て雑巾なども、本考案のハンガーは、応用可能である。
【図面の簡単な説明】
【０００７】
【図１】本考案の斜視図
【図２】ほかの形態の斜視図
【図３】ほかの形態の斜視図
【符号の説明】
【０００８】１  ハンガー
２  ウエットテッシュ
３  キャップ
【図１】
0003105343.tif 000003
【図２】
0003105343.tif 000004
【図３】
0003105343.tif 000005
【手続補正書】
【提出日】平成16年3月16日(2004.3.16)
【手続補正１】
【補正対象書類名】実用新案登録請求の範囲
【補正対象項目名】全文
【補正方法】変更
【補正の内容】
【実用新案登録請求の範囲】
【請求項１】
・殺菌効果のあるウエットテッシュにハンガーや、ひも、フック、ループ、取っ手等の引っ掛ける部分をとりつけ、物干し竿に接続することができるようにした  使い捨て洗濯物干し竿拭き。またウエットテッシュのため用途は、自由である。
【手続補正書】
【提出日】平成16年6月18日(2004.6.18)
【手続補正１】
【補正対象書類名】実用新案登録請求の範囲
【補正対象項目名】全文
【補正方法】変更
【補正の内容】
【実用新案登録請求の範囲】
【請求項１】
・殺菌効果のあるウエットテッシュにハンガーや、ひも、フック、ループ、取っ手等の引っ掛ける部分をとりつけ、物干し竿に接続することができるようにした  使い捨て洗濯物干し竿拭き。
(57)【要約】【課題】  従来の方法では、生徒がデニム生地を使って被服製作や工作をする際、生徒が好みで、デニム生地独特の風合いを活かした製作をする事ができなかった。【解決手段】本案は、デニム生地に軽石を同封し、生徒が好みに応じて生地に風合いを出す事ができるようになった。この結果、風合いを持たした生地を使って、被服製作や工作を楽しむ事ができるようになった。【選択図】  図２
0003105342.tif 000002
【実用新案登録請求の範囲】
【請求項１】
学校で実習をする際のキット教材
【考案の詳細な説明】
【考案の詳細な説明】
【技術分野】
【０００１】学校の実習をする際に使用する教材に関する技術分野
【背景技術】
【０００２】従来の技術では、デニム生地のみを同封し、当該生地をそのまま利用して被服製作や工作に利用していた。
【考案が解決しようとする課題】
【０００３】従来の方法では、生徒がデニム生地を使って被服製作や工作をする際、生徒が好みで、デニム生地独特の風合いを活かした製作をする事ができなかった。
【課題を解決する手段】
【０００４】本案は、デニム生地に軽石を同封し、生徒が好みに応じて、この軽石を使って生地をこすり、デニム生地独特の風合いを出す事ができる。
【考案を実施するための最良の形態】
【０００５】本案は、以上のような考え方のもと、デニム生地に軽石を同封し、生徒が好みに応じて生地に風合いを出す事ができるようになった。この結果、風合いを持たした生地を使って、被服製作や工作を楽しむ事ができるようになった。
【考案の効果】
【０００６】従来、デニム生地の風合いを製作側で調整できなかったが、この考案により、デニム生地の風合いを製作側が自由に調節する事ができる。これによって、デニム生地の風合いを活かした生地を使って、被服製作や工作を楽しむ事ができる。
【図面の簡単な説明】
【図１】従来の技術の構造図
【図２】本考案の構造図
【図１】
0003105342.tif 000003
【図２】
0003105342.tif 000004
【手続補正書】
【提出日】平成16年3月19日(2004.3.19)
【手続補正１】
【補正対象書類名】実用新案登録請求の範囲
【補正対象項目名】全文
【補正方法】変更
【補正の内容】
【実用新案登録請求の範囲】
【請求項１】
デニム生地と軽石を組みあわせたキット教材
【手続補正書】
【提出日】平成16年6月18日(2004.6.18)
【手続補正１】
【補正対象書類名】実用新案登録請求の範囲
【補正対象項目名】全文
【補正方法】変更
【補正の内容】
【実用新案登録請求の範囲】
【請求項１】
デニム生地で軽石で擦った風味をだすキット教材
(57)【要約】【課題】ウエディングドレス、ワンピース、ロングスカート等の仕上げを行う際に、美しいシルエットを醸し出すように最高の仕上げを可能とし、しかも作業性も飛躍的に向上さることを目的とする。【解決手段】アイロン台の天板（１）を水平方向に３６０度回転可能、かつ、垂直方向の角度調節可能な固定具（２）で高さ調節用に伸縮自在の支柱（３）と足（４）からなる台に取り付けた縦型仕上げ台。【選択図】  図１
0003105347.tif 000002
【実用新案登録請求の範囲】
【請求項１】
アイロン台の天板（１）を水平方向に３６０度回転可能、かつ、垂直方向の角度調節可能な固定具（２）で高さ調節用に伸縮自在の支柱（３）と足（４）からなる台に取り付けた縦型仕上げ台。
【考案の詳細な説明】
【考案の詳細な説明】
【技術分野】
【０００１】本考案は、一般家庭やクリーニング店などの業務用で、洋服、和服などの衣類や布、カーテン、帽子をアイロンやスチームアイロンで仕上げる際に用いる、アイロン台に関する。
【背景技術】
【０００２】先端部分が尖った、細長い天板に、折りたたみ式の足が付いた、いわゆる、ちゃぶ台に似た、テーブル状のアイロン台が一般的であった。
【考案の開示】
【考案が解決しようとする課題】
【０００３】仕上げを行う対象物が、シャツやハンカチ、ズボンといった長さが短いものや、直線的なものであれば、従来のアイロン台でも、作業効率が悪くなることはない。だが、仕上げ対象物が、ウエディングドレスや、パーティー向けのロングドレス、ワンピースといった、丈の長いものや、立体的で、構造も複雑なものになると、従来のアイロン台では、一部分にしわが寄ったり、線が入ったり、平面的な仕上がりになったりと仕上がりが今一歩である上に、作業性も悪かった。
【課題を解決するための手段】
【０００４】先端部分が尖った、細長いアイロン台の天板（１）を水平方向に３６０度回転可能、かつ、垂直方向の角度調節可能な固定具（２）で高さ調節用に伸縮自在の支柱（３）と足（４）からなる台に取り付け、縦型とし、ウエディングドレスや、パーティー向けのロングドレス、ワンピースといった、丈の長いものや、立体的で、構造も複雑なものも、作業しやすく、しかも仕上がりがよくなるように工夫するものである。水平・垂直角度調節可能な固定具（２）および高さ調節用に伸縮自在の支柱（３）には、低圧ガスを注入したバネを組み込むことにより、さらに角度や高さを調節する際の作業性が向上する。また、天板（１）の形状は仕上げ対象物に合わせて、平面的なものに加えて、厚みのある形状のものに付け替えて使用すれば、さらに機能性が向上する。
【考案の効果】
【０００５】ウエディングドレス、ワンピース、ロングスカート等の仕上げを行う際も、先端部分が、床に接触して汚れてしまわないかと、神経を使う必要もなくなり、実際身につける状態に近い形で固定して、仕上げをすることができるため、美しいシルエットを醸し出すように、最高の仕上げを行うことが可能になる。本考案によれば、作業者は動かず、天板につり下げたドレスなどの仕上げ対象物を回転させながら、アイロンで仕上げたり、また、仕上げる対象物は回転させなくても、アイロンを持った人間が動けばいいので、従来の台のように、テーブルの上で仕上げる対象物を回したり、ひっくり返したりと、移動させるのとは違い、一度仕上げた部分が下敷きになったりして、再度型くずれしたり、しわが寄ったりすることもなく、作業効率も抜群によくなる。さらに、従来のアイロン台では、どうしてもウエディングドレスなどの長いものは、２人１組での仕上げ作業にならざるを得なかったが、本考案によると、一人でも容易に作業可能で、仕上げの際の形状の美しさや、その保持性も飛躍的に向上し、生産性が向上する。
【図面の簡単な説明】
【０００６】
【図１】本考案の実施例、ワンピース用タイプ示した正面図
【図２】本考案の実施例を示した側面図
【図３】本考案の実施例、ウエディングドレス用タイプ示した正面図
【図４】本考案の実施例を示した斜視図
【符号の説明】
【０００７】（１）天板                （２）水平・垂直角度調節可能な固定具
（３）高さ調節用支柱      （４）足
【図１】
0003105347.tif 000003
【図２】
0003105347.tif 000004
【図３】
0003105347.tif 000005
【図４】
0003105347.tif 000006
(57)【要約】【課題】  管楽器の管内を短時間に効率よく拭き取るためのお手入れ用具を提供する。【解決手段】  スワブ本体を数珠繋ぎ式にすることで、引き出し紐を管内に通す回数を減らし、管楽器の拭き取り作業にかかる手間と時間を短縮する。【選択図】  図２
0003105350.tif 000002
【実用新案登録請求の範囲】
【請求項１】
管楽器をお手入れする際に、スワブという道具が従来から使われている。（「図１」）
スワブの引き出し紐（「図１」の１−２）についている重り（「図１」の１−３）を楽器の管内に貫通させ引き出し紐を引っ張ることで、本体（布部分、「図１」１−１）が管内の汚れや水分を拭き取れる。
その作業を１回行うだけでは管内の汚れや水分が完全に除去できず、何回も同じ作業を繰り返す必要がある。
本考案はスワブの本体の布が１枚である従来のスワブを、複数で数珠繋ぎ式にすることで、１回の作業で従来のスワブより倍以上の拭き取り作業ができ、管内のお掃除にかかる手間と時間を大幅に減らすことができる。
【考案の詳細な説明】
【技術分野】
【０００１】  本考案は、管楽器の管内を短時間で効率よくお手入れできるスワブに関するものである。
【背景技術】
【０００２】  管楽器を吹くことによって楽器の管内にはつばが溜まり、音質や楽器の寿命に悪影響を及ぼす。そのため、演奏者たちは演奏と演奏の短い休憩時間にも頻繁に管内のお手入れ作業を行わなければならない。また管楽器は高価な上に非常にデリケートな道具なので、日頃のまめなお手入れが重要視されており、その際に使われるスワブの使用頻度は非常に高い。管内のお手入れ道具の高性能化は、現場の演奏者たちにとっては非常に大きなニーズとなっている。
【考案の開示】
【考案が解決しようとする課題】
【０００３】  スワブを管楽器の管内に一回通すだけでは水分や汚れを拭き取り切れず、何回も同じ作業を繰り返す必要がある。それが演奏中の短い休憩時間を利用してお手入れをしている演奏者たちには大きな負担となる。
演奏中のみならず、日常的なお手入れにおいても管内の掃除は面倒な作業である。
できるだけお手入れにかかる時間や手間を節約できるスワブが望ましく、本考案はその点の改善に重点を置いている。
【課題を解決するための手段】
【０００４】従来のスワブは１枚の布（本体）と引き出し紐で構成されていた。（「図１」）
本考案はその布を数珠繋ぎ式の複数にすることで、スワブを一回通す作業で二回以上の拭き取り効果を得ることを可能にする。引き出し紐を管内に入れて引っ張れば、複数の布が次から次へと管内を通りながら、水分や汚れを拭き取る。
【考案の効果】
【０００５】  上述のように、本考案の数珠繋ぎ式のスワブを使うことで、管内のお手入れにかかる手間と時間を大幅減らすことができる。
【考案を実施するための最良の形態】
【０００６】理論的にはスワブの本体の枚数はいくらでも増やせるし、それに比例して拭き取り効果も上がることになっている。
しかし実用的な面から考えると、無闇に本体の枚数を増やす訳にも行かない。
引き出し紐は管楽器の管内を通さなければならないので、管楽器の管部以上の長さを確保しなければならない。（「図３」の３−１＞管部の長さ）
引き出し紐の長さは変えられないので、本体の枚数に比例してスワブの全長は長くなってしまう。（「図３」）
スワブが必要以上に長くなると、携帯や保管に不便をもたらすのみならず、使い勝手も悪くなる。その上に、製造単価が上がり、消費者にも余計な負担をかけることになる。試作品の実験では、布の枚数を２枚にするのがベストとなっている。【０００７】  管楽器の種類によって管内の太さも違うので、スワブ本体の大きさは楽器によって変わる。しかし、いずれの場合でもスワブ本体同士の大きさは同じくした方が良い。
１枚目の布で軽く水分を拭き取って２枚目の布で汚れをしっかり除去する、という考え方から両方の大きさを別にする発想もできる。が、「スワブが管内を適度な摩擦力を保ちながら無理なく通れる」ようにするためのサイズ設定が意外に難しい。
両方のサイズを異にすると、どちらかが抜け難くなるか、すっと抜けて頼りなくなる。（「図４」）
【実施例】
【０００８】  以下添付図面に従って実施例を説明する。
「図１」は従来のスワブの形状である。「１−３」の重りを楽器の管内に入れ、貫通させてから、「１−２」を引っ張ると「１−１」の本体が管内の水分や汚れを拭き取る。その作業を数回繰り返す。【０００９】  「図２」は本考案の形状である。使い方は「図１」と同じであるが、「２−１」、「２−２」と本体の枚数を増やしている。それによって一回の拭き取り効果が「図１」のスワブに比べ倍増する。「０００６」と「０００７」で述べたとおり、本体の布の枚数は２枚がベストであり、布同士の大きさは同じくした方が良い。【００１０】「図３」は本体の枚数を増やすことに比例して全長が長くなる様子を表したものである。引き出し紐は管楽器の管部以上の長さを確保しなければならないので、「３−１」の長さは短くできない。そのため本体の枚数を増やすと、それに比例して全長が長くなる。スワブの全長が必要以上に長くなると、使い勝手が悪く、携帯も不便となる。【００１１】  「図４」は本体同士のサイズを同じくした場合と別にした場合の比較である。
「４−１」を、管内を通す最適のサイズにした場合、「４−２」は太すぎて管内を通れない。「４−２」を最適のサイズにした場合、「４−１」は小さすぎて管内を拭き取れない。従って、本体（布）同士のサイズは同じくするのがベストである。
【図面の簡単な説明】
【００１２】
【図１】従来のスワブの形状である。
【図２】本考案の改良の形状である。本体の枚数を増やしてある。
【図３】本体を増やした場合、スワブの全長が長くなる様子を表している。
【図４】スワブの本体の大きさを同じくした場合と異にした場合の比較である。
【符号の説明】
【００１３】    １−１  布（スワブの本体）
１−２  引き出し紐（スワブガイド）
１−３  重り
２−１  布（スワブの本体）
２−２  布（スワブの本体）
３−１  本体を除いたスワブの長さ
４−１  スワブ本体の幅
４−２  スワブ本体の幅
【図１】
0003105350.tif 000003
【図２】
0003105350.tif 000004
【図３】
0003105350.tif 000005
【図４】
0003105350.tif 000006
【手続補正書】
【提出日】平成16年6月25日(2004.6.25)
【手続補正１】
【補正対象書類名】実用新案登録請求の範囲
【補正対象項目名】請求項１
【補正方法】変更
【補正の内容】
【請求項１】
本体の布を数珠繋ぎ式の複数にしたことを特徴とする管楽器用スワブ。
(57)【要約】      （修正有）【課題】パチンコ店では従来玉箱は客が呼び出しランプスイッチを押しランプ点灯により従業員を呼び１０Ｋ以上の重い玉箱を手で持ったり台車に載せ計数器まで運んでいます、この作業は重労働な仕事なので腰痛などの原因にもなっております労働安全を考えるうえからも改善が必要と思われます。【解決手段】この自動玉箱運搬台車を使用することにより従業員の負担も減り他のサービスに力点を置く事ができ店の発展にも繁がります。【効果】バッテリー、モーター、障害物センサー、警告装置、コントロール回路で構成された自動玉箱運搬台車で玉箱を搬送する。【選択図】図２
0003105346.tif 000002
【実用新案登録請求の範囲】
【請求項１】
バッテリー、モーター、障害物センサー、警告装置、コントロール回路を用いたパチンコ球自動搬送台車
【請求項１】
定められたルートを指定された位置まで移動し玉箱を載せ指示することにより、パチンコ玉計数器まで自動搬送する台車
【請求項３】
障害物センサーにより進行方向に障害物をキャッチするとその場で停止し警告音を発する、前方の障害物が無くなると再び走行する
【考案の詳細な説明】
【孝案の詳細な説明】
【考案が解決しようとする課題】
【０００１】  従来玉箱は客が呼び出しランプスイッチを押しランプ点灯により従業員を呼び１０Ｋ以上の重い玉箱を手で持ったり台車に載せ計数器まで運んでいます、この作業は重労働な仕事なので腰痛などの原因にもなっております労働安全を考えるうえからも改善が必要と思われます
【課題を解決するための手段】
【０００２】  バッテリー、モーター、障害物センサー、警告装置、コントロール回路を用いパチンコ球搬送台車を作成する
【考案の効果】
【０００３】  自動玉箱運搬台車を使用することにより、従業員の負担も減り他のサービスに力点を置く事ができ店の発展のも繁があります。
【産業上の利用分野】
【０００４】  遊戯
【図面の簡単な説明】
【図１】自動玉箱運搬台車ブロック図
【図２】自動玉箱運搬台車外観図
【図３】自動玉箱運搬台車積載図
【符号の説明】
１．電池
２．モーター
３．コントロール回路
４．警告装置
５．障害物センサー
６．正面接触式センサー
７．後面接触式センサー
８．側面接触式センサー
９．ケース入りパチンコ球
【図１】
0003105346.tif 000003
【図２】
0003105346.tif 000004
【図３】
0003105346.tif 000005
【手続補正書】
【提出日】平成16年6月3日(2004.6.3)
【手続補正１】
【補正対象書類名】実用新案登録請求の範囲
【補正対象項目名】全文
【補正方法】変更
【補正の内容】
【実用新案登録請求の範囲】
【請求項１】
電源にバッテリーを用いて、コントロール回路に信号を送ることによりモーターを動かし定められたルートを走行する、走行中に人や物の障害物がある場合には障害物センサーにて感知して静止し警告装置により警告音を出す、障害物がなくなれば自動に走行をする、パチンコ球自動搬送台車
【請求項２】
を定められたルートを指定された位置まで移動し玉箱を載せ指示することにより、パチンコ玉計数器まで自動搬送する請求項１記載のパチンコ球自動搬送台車
【請求項３】
障害物センサーにより進行方向に障害物をキャッチするとその場で停止し警告音を発する、前方の障害物が無くなると再び走行する、請求項１記載のパチンコ球自動搬送台車
(57)【要約】      （修正有）【課題】多数のLEDを同時に均等な電流で駆動する用途において、電流のばらつきが小さく高効率で、電源の設計が容易な定電流化ＬＥＤ基板を実現可能とする。【解決手段】数個ずつ直列接続したＬＥＤ２の組毎に定電流回路３を設け、各定電流回路の出力電流を揃えることにより、全ＬＥＤの電流を均等化する。これにより、電源にバッテリー（鉛蓄電池など）を用いた場合でも、定電圧回路（ＤＣ−ＤＣコンバーターなど）を設ける必要がなく、放電終止時の低い電圧から充電完了時の高い電圧に渡る広い電圧範囲において一定の照度が得られ、定電圧回路による効率低下もない。【選択図】図２
0003105302.tif 000002
【実用新案登録請求の範囲】
【請求項１】
多数のＬＥＤを複数の組に分割し、その組毎に定電流回路を設け、各定電流回路の出力電流を揃えることにより、全ＬＥＤの電流を均等化することを特徴とする定電流化ＬＥＤ基板。
【考案の詳細な説明】
【技術分野】
【０００１】
本考案は、電流のばらつきが小さく電源の設計が容易な定電流化ＬＥＤ基板に関するものである。
【背景技術】
【０００２】
照明または表示装置の中で、ＬＥＤを利用したものは、明るさの割に消費電力が小さく劣化しにくいので交換の手間を省ける利点があり、各方面で実用に供されている。
中でも超高輝度白色ＬＥＤと呼ばれるものは従来の白熱電球以上の明るさが得られるため、低価格化と品質が安定してきたこともあり、最近特に注目されている。
ＬＥＤを照明に利用する場合、通常１個では必要な明るさが得られないので、多数のＬＥＤを並べて一度に点灯する必要があるが、使用するＬＥＤの特性が完全に均一ということはあり得ないので、並列に接続して同電圧を与えると各ＬＥＤの電流にばらつきが生じてしまう。
これに対し、全て直列に接続すると電流は均一になるが、高い直流電圧が必要になるため、一般には数個のＬＥＤと電流のばらつきを小さくするための抵抗を直列にして一組としたものを多数組並列に接続することが実用的回路として広く使われている。
【０００３】
しかし、抵抗値を大きくすると電流は一定値に近づくが電力の損失が大きくなるため、ある程度のばらつきを許容しながら比較的小さな抵抗値にせざるを得ないという欠点があった。
【０００４】
照明の用途において、この欠点はＬＥＤの効率的利用に関して大きな障害である。具体的には、一部のＬＥＤに過大な電流が流れて寿命を短くする、あるいは過小な電流によって必要な照度が得られないなどの問題があった。
【０００５】
この改善策として、定電流回路を使用し各ＬＥＤの電流を均一にする方法がある。図１はこの方法による電気回路の実装形態を示すための説明図であって、ＬＥＤの実装面から見た外観図である。図１で、２はＬＥＤ、３は定電流回路である。ただし、定電流回路実装のために必要な面積を確保しなければならない。
【考案の開示】
【考案が解決しようとする課題】
【０００６】
解決しようとする問題点は、多数のＬＥＤを実用的な電源電圧および低コスト高効率という条件内では均等な電流で駆動できない点である。
【課題を解決するための手段】
【０００７】
本考案は、多数のＬＥＤを均等な電流で駆動可能とするため、数個ずつ直列接続したＬＥＤの組毎に定電流回路を設けることを最も主要な特徴とする。
【考案の効果】
【０００８】
本考案の定電流化ＬＥＤ基板は、数個ずつ直列接続したＬＥＤの組毎に定電流回路を設けているため、各ＬＥＤの電流を、全ＬＥＤを直列接続することなく均等化することができるので、実用的な電源電圧の範囲で実現でき、許容範囲であれば電源電圧に変動があっても問題ないという利点がある。
【考案を実施するための最良の形態】
【０００９】
数個ずつ直列接続したＬＥＤの組毎に定電流にするという目的を、チップトランジスタおよびチップ抵抗を用いることで実装面積を最小にし、コストアップすることなく実現した。
【実施例１】
【００１０】
図２は、本考案の１実施例の回路図であって、１〜３は図１と同様である。また、４は直流電源である。
【００１１】
定電流回路３は直列接続された１組のLED２に流れる電流を一定にする働きがある。ただし直流電源の電圧には適切な範囲が存在する。本考案の主体は多数のLEDを均等な電流で駆動する回路構成にあるので、定電流回路の説明は省略する。
【００１２】
近年、トランジスタや抵抗は表面実装用にチップ化され非常に安価になっており、これらで構成することにより安価でコンパクトな定電流回路が実現する。さらに大量生産が可能であればIC化することによりさらなる低コスト化も期待できる。
【００１３】
定電流を得る簡単な方法として定電流ダイオードを用いることもできるが、コスト高であり更に必要とする電流値が得られないことがある。
【００１４】
図１、図２の実施例は、直列接続された１組のLED２毎に設けた定電流回路によって、定電流回路の定数を揃えておけば、全体的にほぼ均一な電流となるので、例えば電源にバッテリー（鉛蓄電池など）を用いた場合でも、定電圧回路（ＤＣ−ＤＣコンバーターなど）を設ける必要がなく、放電終止時の低い電圧から充電完了時の高い電圧に渡る広い電圧範囲において一定の照度が得られ、定電圧回路による効率低下もない。
【産業上の利用可能性】
【００１５】
本考案の定電流化ＬＥＤ基板には、バッテリーのように電源電圧の変動が大きい電源でも、途中に回路を設けることなく直接接続することができ、全LEDにほぼ均一な電流が流れるため、寿命が長く効率のよい照明が簡単に得られるので、様々な照明用途あるいは装飾用途にも適用できる。
【図面の簡単な説明】
【００１６】
【図１】定電流化ＬＥＤ基板の実施方法を示した説明図である。（実装形態例）
【図２】定電流化ＬＥＤ基板の実施方法を示した説明図である。（回路例）
【符号の説明】
【００１７】
１    基板
２    LED
３    定電流回路
４    直流電源
【図１】
0003105302.tif 000003
【図２】
0003105302.tif 000004
(57)【要約】【課題】  本考案は、籾米保存中に稲麹菌の影響により発生する不良混入物を自動的に分離除去するための振動フルイ機を提供するものである。【解決手段】  本考案の振動フルイ機は、底面に四周囲を短側壁で囲まれた上方開口箱体の振動フルイ本体１と、該振動フルイ本体１を上下に２層分離するように側壁間に張設した所定開口網目状のスクリーン２と、前記振動フルイ本体１の底面外部に固定した振動モータ３とから構成されてなり、前記振動フルイ本体１は、四隅を機台脚体４に弾性緩衝部材を介して対角線上に１２°の傾斜角度で入口側を高く出口側を低くして傾斜状に上下振動自在に前記機台脚体４に保持され、籾米が上下振動移動を行いながら排出側へ運搬されてなるものである。【選択図】  図１
0003105301.tif 000002
【実用新案登録請求の範囲】
【請求項１】
底面に四周囲を短側壁で囲まれた上方開口箱体の振動フルイ本体と、該振動フルイ本体を上下に２層分離するように側壁間に張設した所定開口網目状のスクリーンと、前記振動フルイ本体の底面外部に固定した振動モータとから構成されてなり、前記振動フルイ本体は、四隅を機台脚体に弾性緩衝部材を介して対角線上に１２°の傾斜角度で入口側を高く出口側を低くして傾斜状に上下振動自在に前記機台脚体に保持され、籾米が上下振動移動を行いながら排出側へ運搬されてなることを特徴とする振動フルイ機。
【考案の詳細な説明】
【技術分野】
【０００１】
本考案は、籾米保存中に稲麹菌の影響により発生する不良混入物を分離するための振動フルイ機に関する。
【背景技術】
【０００２】
秋に収穫した稲米は、稲生育中に籾に稲麹菌が発生付着し、これが不良混入物となりサイロ等に貯蔵される。
この不良混入物は、元々は籾米であるが稲麹菌の影響で膨張し、かつ黒く変色して籾米混入物として籾米中に分散して存在する。
このように籾米中に不良混入物が混入していると、籾摺り機により籾殻を取り除く時に籾摺りロールに前記不良混入物が付着し前記籾摺りロールが黒色に着色され、籾殻を取り除かれた米に黒色が付着し精米が不良品となった。
これを防止するには、従来、人手により籾米中の不良混入物を取り除かなければならなかった。
そこで、籾米と籾米混入物とを自動的に機械により分級分離することが望まれていた。
なお、製茶用振動篩機は、公知となっている（特許文献１を参照）。
【０００３】
【特許文献１】特開２００２−１７６９１４号公報
【考案の開示】
【考案が解決しようとする課題】
【０００４】
本考案は、籾米保存中に稲麹菌の影響により発生する不良混入物を自動的に分離除去するための振動フルイ機を提供するものである。
【課題を解決するための手段】
【０００５】
本考案の振動フルイ機は、底面に四周囲を短側壁で囲まれた上方開口箱体の振動フルイ本体と、該振動フルイ本体を上下に２層分離するように側壁間に張設した所定開口網目状のスクリーンと、前記振動フルイ本体の底面外部に固定した振動モータとから構成されてなり、前記振動フルイ本体は、四隅を機台脚体に弾性緩衝部材を介して対角線上に１２°の傾斜角度で入口側を高く出口側を低くして傾斜状に上下振動自在に前記機台脚体に保持され、籾米が上下振動移動を行いながら排出側へ運搬されてなるものである。
【考案の効果】
【０００６】
本考案の振動フルイ機によれば、籾米保存中に稲麹菌の影響により発生する不良混入物を自動的に分離除去できる効果がある。
【考案を実施するための最良の形態】
【０００７】
以下、本考案の一実施例を図面に基づいて説明すると、
図１(a)正面図、(b)側面図に示すように、本考案の振動フルイ機は、底面に四周囲を短側壁で囲まれた上方開口箱体の振動フルイ本体１と、該振動フルイ本体１を上下に２層分離するように側壁間に張設した所定開口網目状のスクリーン２と、前記振動フルイ本体１の底面外部に固定した振動モータ３とからなる。
前記振動フルイ本体１は、四隅を機台脚体４に弾性緩衝部材、例えばコイルスプリング５を介して傾斜状に上下振動自在に保持される。
すなわち、前記振動フルイ本体１は、籾米の供給側を高くし、籾米の排出側を低く、たとえば対角線上に１２°の傾斜角度で入口側を高く出口側を低くして前記機台脚体４に保持され、籾米が上下振動移動を行いながら排出側へ運搬される。
そして、籾米は運搬される途中で、スクリーン２の開口網目から下方の前記振動フルイ本体１の底部に落下して排出側へ運搬され、一方、籾米保存中に稲麹菌の影響により発生する不良混入物（以下、「不良混入物」という。）は、前記スクリーン２の網目を通過することなく、前記スクリーン２上を搬送されて排出側へ運搬される。
【０００８】
次に、本考案の振動フルイ機を用いた不良混入物の分離工程について、以下に説明する。
図２に示すように、サイロ等で保存されていた不良混入物を含んだ籾米を籾米タンク６に収納し、前記籾米タンク６の下部から所定流速又は一定量づつ不良混入物を含んだ籾米を前記振動フルイ機の振動フルイ本体１の供給側に供給する。
前記振動フルイ本体１は、底部に固定された振動モータ３により上下振動を行っており、供給された不良混入物を含んだ籾米は、スクリーン２上で上下振動を受け、拡散しながら前記振動フルイ本体１の対角線上を排出側に躍りながら運搬される。
その運搬途中に、前記不良混入物は籾米より径が大きく、スクリーン２の網目を通過することが出来ないので、そのままスクリーン２上を躍りながら運搬されて排出側の排出シュートを介して廃棄ボックス７に集積される。
一方、籾米は、径が小さくスクリーン２の網目を通過するので、前記振動フルイ本体１の底部に落下し、前記底部を運搬されて底部排出側の供給シュート８を介して次工程のベケットエレベータ９の供給ホッパーに送られる。
前記ベケットエレベータ９にはバケット１０が上下循環式に内蔵されており、供給ホッパー部でバケット１０により掬い上げられた不良混入物を取り除かれた籾米（以下、「処理済籾米」という。）は、最上位置から傾斜シュート１１を介して処理済籾米タンク１２に供給収納される。
そして、前記処理済籾米タンク１２の下部から処理済籾米を籾摺り機１３に供給して籾摺りロール１４により籾米の籾殻を取り除かれて、計量機１５に集積される。
【０００９】
前記振動フルイ本体１の取付角度は、１２°に限らず適宜設計変更可能であるが、前記振動フルイ本体１の長さが１５０ｃｍ以上であれば、前記取付角度は１２°が最適である。
また、スクリーン２の網目は、籾米が略楕円形状をなしているので、短径側が通過し、長径側が通過しない大きさに設定すれば良く、不良混入物は少なくともそれ以上の丸径となるので通過することはない。
【図面の簡単な説明】
【００１０】
【図１】本考案の振動フルイ機の説明図である。
【図２】本考案の振動フルイ機を用いた不良混入物の分離工程の説明図である。
【符号の説明】
【００１１】
１  振動フルイ本体
２  スクリーン
３  振動モータ
４  機台脚体
５  コイルスプリング
６  籾米タンク
７  廃棄ボックス
８  供給シュート
９  バケットエレベータ
１０  バケット
１１  傾斜シュート
１２  処理済籾米タンク
１３  籾摺り機
１４  籾摺りロール
１５  計量機
【図１】
0003105301.tif 000003
【図２】
0003105301.tif 000004